(57)【要約】      （修正有）【課題】疑似餌や餌などの装着を容易に行え、アタリの際に針先を出し易く、釣果を向上することができるワームストッパーを提供する。【解決手段】釣針に疑似餌または餌などのワームを固定するための一本の線材からなるものである。ワームストッパーは、環状の掛留部３と、掛留部の一端から螺旋本体接続部３ｂを介して連続する螺旋状の螺旋本体１と、掛留部の他端から直線体接続部３ｃを介して連続して螺旋本体１の軸心に沿う直線体２と、からなる。螺旋本体と直線体の両方の先端を針状に尖らせることにより、ワームに容易に突き刺すことができて、ワームを装着し易くすることができる。【選択図】  図１
0003222461.tif 000002
【実用新案登録請求の範囲】
【請求項１】
釣針に疑似餌または餌を固定するための一本の線材からなるものであって、
環状の掛留部と、前記掛留部の一端から螺旋本体接続部を介して連続する螺旋状の螺旋本体と、前記掛留部の他端から直線体接続部を介して連続して前記螺旋本体の軸心に沿う直線体と、からなり、
前記螺旋本体と前記直線体の両方の先端を針状に尖らせることを特徴とするワームストッパー。
【請求項２】
螺旋本体接続部は直線体接続部よりも上方であって掛留部の環状頂点よりも下方位置にあり、螺旋本体の螺旋外径が直線体の上下長さの２分の１以上であって、前記螺旋本体の螺旋が２周であることを特徴とする請求項１に記載のワームストッパー。
【請求項３】
掛留部は、直線体接続部から螺旋本体接続部への方向と反対に傾斜する傾斜環であり、
掛留部と螺旋本体とが連続する螺旋本体接続部は、前記螺旋本体の刃先と同じ前記螺旋本体の螺旋外周位置にあることを特徴とする請求項１または２のいずれかに記載のワームストッパー。
【請求項４】
螺旋本体の螺旋の外径を４ｍｍ以下とするとき、線材の線径を前記螺旋の外径の８分の１とし、
前記螺旋の外径を４ｍｍ以上とするとき、線材の線径を０．５ｍｍとすることを特徴とする請求項１、２または３のいずれかに記載のワームストッパー。
【考案の詳細な説明】
【技術分野】
【０００１】
本考案は、疑似餌や餌などを釣針に固定するためのワームストッパーに関する考案である。
【背景技術】
【０００２】
針先を隠すように疑似餌や餌などを釣針に取り付けて、アタリの際に合わせやフッキングにより針先から疑似餌をずらしたり外して、出した針先を魚にかける手段として、ワームストッパーが従来から提案されている。特許文献１は、環付釣針の環部に片方端を掛け留め、ワームの頭部を捻じりながら通して固定する螺旋状ストッパーを開示している。この螺旋状ストッパーは、掛け留める片方端に同一線材からなる疑似餌誘導棒を形成した構成としている。
【先行技術文献】
【特許文献】
【０００３】
【特許文献１】実用新案登録第３１３８７６４号公報
【考案の概要】
【考案が解決しようとする課題】
【０００４】
近年、ソフトベイトに代表される疑似餌は、ＴＰＲ（熱可塑性ゴム）などのシリコン素材やエラストマ素材で形成された弾力があり千切れ難いものが増えている。これに対し、特許文献１に記載の螺旋状ストッパーは、この種の素材で形成したワームを刺し難く、装着し難いことがあった。また、特許文献１には螺旋のリングの数が３〜４個が望ましいとしているが、このリング数では上記素材による疑似餌の保持が難しく、アタリの際に針先を出し難くなることがあった。
【０００５】
そこで、疑似餌などの装着を容易に行え、アタリの際に針先を出し易く、釣果を向上することができるワームストッパーが望まれていた。
【課題を解決するための手段】
【０００６】
本考案のワームストッパーは、上記課題に鑑み、釣針に疑似餌または餌を固定するための一本の線材からなるものであって、環状の掛留部と、前記掛留部の一端から螺旋本体接続部を介して連続する螺旋状の螺旋本体と、前記掛留部の他端から直線体接続部を介して連続して前記螺旋本体の軸心に沿う直線体と、からなり、前記螺旋本体と前記直線体の両方の先端を針状に尖らせることを特徴とする。
【０００７】
また、螺旋本体接続部は直線体接続部よりも上方であって掛留部の環状頂点よりも下方位置にあり、螺旋本体の螺旋外径が直線部の長さの２分の１以上であって、前記螺旋本体の螺旋が２周であることが好ましい。
【０００８】
また、掛留部は、直線体接続部から螺旋本体接続部への方向と反対に傾斜する傾斜環であり、掛留部と螺旋本体とが連続する螺旋本体接続部は、前記螺旋本体の先端と同じ前記螺旋本体の螺旋外周位置にあることが好ましい。
【０００９】
また、螺旋本体の螺旋の外径を４ｍｍ以下とするとき、線材の線径を前記螺旋の外径の８分の１とし、前記螺旋の外径を４ｍｍ以上とするとき、線材の線径を０．５ｍｍとすることが好ましい。
【考案の効果】
【００１０】
請求項１に記載の考案により、線材の鋭利な先端により疑似餌や餌など（以下、纏めてワームと記載する）に容易に突き刺すことができて、ワームを装着し易くすることができる。直線体に加えて螺旋本体も容易に突き刺さることで、従来よりもワームに通す螺旋本体の長さを低減して保持でき、釣り人の好みなどに応じて調節することができ、釣果を向上することができる。
【００１１】
請求項２に記載の考案により、所定のピッチを創出することができ、シリコン素材やエラストマ素材で形成された弾力があり千切れ難い素材であっても、良好に刺し通すことができる。また、所定のピッチと２周の螺旋によることでこれらの素材を通したときに、水中での微妙な動きを再現できるため、良好な釣果を期待することができる。
【００１２】
請求項３に記載の考案により、掛留部が傾斜環となることから、使用者が摘み易く、螺旋本体接続部と螺旋本体の刃先が同じ外周位置にあることにより使用者がワームを刺し易くすることができる。しかも、２周の螺旋とし、所定のピッチ幅としていることで、刺し難い素材であっても、円滑に装着することが可能になる。
【００１３】
請求項４に記載の考案により、螺旋外径に応じた線材とすることで、ワームを刺しやすく、水中で滑らかな動きを実現して釣果を期待することができる。
【図面の簡単な説明】
【００１４】
【図１】本考案の実施形態に係るワームストッパーの正面図である。
【図２】ワームストッパーの側面図である。
【図３】ワームストッパーの平面図である。
【図４】ワームストッパーの使用状態の一例を示す正面図である。
【図５】ワームストッパーへのワーム取り付けを説明する側面図である。
【考案を実施するための形態】
【００１５】
本考案の実施形態について、図面に基づいて詳細に説明する。本実施形態に関し、図１のワームストッパーの直線体２の鋭利な先端側（紙面下方）を下方とし、直線体２の軸方向を上下方向として説明する。
【００１６】
本実施形態のワームストッパーは、図４に示すように、掛留部３を釣針５の環部５ｂに掛け留めて取り付け、二点鎖線で示すワーム６の頭部６ａを保持し、ワーム６の尾部６ｂに釣針５の針先５ａを突き刺して、釣針５に固定するための仕掛け保持具である。このワームストッパーは１本の線材を曲げ加工して外形を形成している。ワームストッパーは、図１に示すように、螺旋状に巻いた螺旋本体１と、丸棒状の直線体２と、螺旋本体１と直線体２とを繋ぐ環状の掛留部３とからなる。
【００１７】
図１乃至図３に示すように、掛留部３は、Ｕ字の環形状とし、Ｕ字の一方端から螺旋本体１と螺旋本体接続部３ｂを介して連続して形成し、Ｕ字のもう一方の他方端から直線体２と直線体接続部３ｃを介して連続して形成することで、１本の線材により形成している。
【００１８】
掛留部３は、直線体接続部３ｃから斜め上方に直線状に立ち上がり、半円状に湾曲し、さらに前記斜め上方に立ち上がる方向と平行に斜め下方に立ち下がり、螺旋本体接続部３ｂに至る。これにより、掛留部３の環は略Ｕ字状の側方への傾斜環となり、その傾斜方向は正面視において直線体接続部３ｃから螺旋本体接続部３ｂへの水平方向と反対の方向であって、その頂点３ａは直線体２の軸心方向よりも若干傾斜方向側に位置することとなる。また、この形態により、螺旋本体接続部３ｂは、直線体接続部３ｃよりも上方の位置にあり、頂点３ａよりも下方の位置にある。この螺旋本体接続部３ｂはワーム６の頭部６ａの先端側を位置決めすることとなる（図４参照）。
【００１９】
直線体２は上下方向に沿う一直線状の丸棒からなり、本実施形態では螺旋本体１の螺旋ピッチＰ１の１倍以上から１．４倍未満までの寸法Ｌ２が螺旋本体１の先端１ａよりも下方に突出している。直線体２は直線体接続部３ｃで掛留部３に接続し、先端（下端）を返しの無い釣針状に傾斜した鋭利な刃先２ａとしている。
【００２０】
螺旋本体１は、図１乃至図３に示すように、直線体２と同芯で形成した螺旋形状としている。螺旋本体１は螺旋本体接続部３ｂで掛留部３に接続し、先端（下端）に向けて円を描く螺旋状に形成され、その先端は鋭利な刃先１ａとしている。螺旋本体１は一定のピッチＰ１で２周巻きとしている。
【００２１】
平面視において、掛留部３は螺旋本体１の軸心を通り螺旋本体１を半月状に分割するように形成し（図３参照）、直線体２は螺旋本体１の軸心位置で上下方向に延長されている。
【００２２】
螺旋本体１は、螺旋の外径Ｒ２（直径）が直線体２の上下長さＬ１に対して比較的大きい。例えば、外径Ｒ２（直径）を６．５ｍｍとすると直線体２の長さＬ１を１０ｍｍとする。また、外径Ｒ２（直径）を４．０ｍｍとすると直線体２の長さＬ１を８．０ｍｍとし、外径Ｒ２（直径）を３．２ｍｍとすると直線体２の長さＬ１を５．５ｍｍとし、外径Ｒ２（直径）を２．８ｍｍとすると直線体２の長さＬ１を５．２ｍｍとする。このように、外径Ｒ２（直径）は直線体２の長さＬ１の２分の１よりも長い。
【００２３】
この螺旋本体１の外径Ｒ２（直径）を直線体２の長さＬ１の２分の１とし、螺旋を２周としたことにより、所定の螺旋ピッチＰ１を確保でき、シリコン素材やエラストマ素材で形成された弾力があり千切れ難い素材のワーム６であっても、良好に刺し通すことができる。また、所定のピッチＰ１と２周の螺旋によることでこれらの素材のワーム６を通したときに、水中での微妙な動きを再現できるため、良好な釣果を期待することができる。
【００２４】
また、図２に示すように、螺旋本体１の刃先１ａは側面視において直線体２の位置まで延長されており、螺旋本体１を接続する螺旋本体接続部３ｂも側面視において直線体２の位置となる。これは、図１に示すように、螺旋本体１の外周のうち同じ外周位置にあることとなり、言い換えれば正面視において上下位置は異なるものの同一直線状に位置することとなる。
【００２５】
この同じ外周位置にあることとは、側面視において、直線体２の肉厚分の範囲に螺旋本体接続部３ｂと螺旋本体１の刃先１ａがあることである。この位置関係にあることにより、使用者がワーム６の挿入と終端とを視認でき、円滑に刺し入れることができる。
【００２６】
図５に示すように、使用者がワーム６を取り付けるに際し、掛留部３が傾斜環となることから、親指と人差し指でつまみやすくなり、螺旋本体接続部３ｂを上方となるようにつまむ。このときに螺旋本体１の刃先１ａが尖っており、同じ外周位置にあることにより、刃先１ａも上方に位置することとなる。シリコン素材やエラストマ素材で形成された弾力があり千切れ難いワーム６は、刃先１ａから刺し難いという欠点があるが、使用者が刺し易くすることができる。しかも、本実施形態は２周の螺旋となり、所定のピッチＰ１としていることで、刺し難い素材であっても、円滑に装着することが可能になる。
【００２７】
また、ワームストッパーは、螺旋本体１の螺旋の外径Ｒ２（直径）を４ｍｍ以下とするとき、直線体２の軸径である線材の線径Ｒ１（直径）を螺旋の外径Ｒ１（直径）の８分の１とし、螺旋の外径Ｒ２（直径）を４ｍｍ以上とするとき、線材の線径Ｒ１（直径）を０．５ｍｍとしている。これによっても螺旋の外径Ｒ２に応じた線材とすることで、刺しやすい形態とすることができ、外径Ｒ２に応じて刺し通す範囲が狭くなり、使用時に水中で滑らかな動きを実現し、釣果を期待することができる。
【００２８】
以下、ワームストッパーの具体的な形態としてＳＳ、Ｓ、Ｍ、Ｌサイズの４つの実施例を示す。
【００２９】
ＳＳサイズのワームストッパーは、螺旋本体１（螺旋）の外径Ｒ２（直径）を２．８ｍｍとし、螺旋本体１のピッチＰ１を２ｍｍとし、線材の線径Ｒ１（直径）を０．３５ｍｍとし、直線体２が螺旋本体１よりも突出する寸法Ｌ２を２ｍｍとし、掛留部３のＵ字の湾曲部分のアールＲ３（直径）を１ｍｍとしている。Ｓサイズのワームストッパーは、螺旋本体１の外径Ｒ２を３．２ｍｍとし、ピッチＰ１を２．１ｍｍとし、線径Ｒ１を０．４ｍｍとし、直線体２の突出する寸法Ｌ２を２．５ｍｍとし、アールＲ３を１．５ｍｍとしている。
【００３０】
Ｍサイズのワームストッパーは、螺旋本体１の外径Ｒ２を４ｍｍとし、ピッチＰ１を２．６ｍｍとし、線径Ｒ１を０．５ｍｍとし、直線体２の突出する寸法Ｌ２を３．５ｍｍとし、アールＲ３を１．９ｍｍとしている。Ｌサイズのワームストッパーは、螺旋本体１の外径Ｒ２を６．５ｍｍとし、ピッチＰ１を３．２ｍｍとし、線径Ｒ１を０．５ｍｍとし、直線体２の突出する寸法Ｌ２を４ｍｍとし、アールＲ３を２．７ｍｍとしている。
【符号の説明】
【００３１】
１…螺旋本体、１ａ…刃先、２…直線体、２ａ…刃先、３…掛留部、３ｂ…螺旋本体接続部、３ｃ…直線体接続部、５…釣針、５ａ…針先、５b…環部、６…ワーム、Ｌ１…直線体の上下長さ、Ｌ２…直線体の突出する寸法、Ｐ１…ピッチ、Ｒ１…螺旋の外径、Ｒ２…線径、Ｒ３…アール。
【図１】
0003222461.tif 000003
【図２】
0003222461.tif 000004
【図３】
0003222461.tif 000005
【図４】
0003222461.tif 000006
【図５】
0003222461.tif 000007